(57)【要約】【課題】個人の意思を発信する意思伝達を各個人の有する識別子を読み取らせることによって情報収集する際効率よく収集する方法を提供する。【解決手段】各個人の有する識別子を読み取る識別子読み取り装置に識別子読み取り手段と必要に応じて読み取った情報を処理する処理部を設けさらに読み取った情報を送信する通信手段を設けることにより１つの装置で個人の有する識別子を読み取りこの読み取った個人の識別子の処理を行ない情報送信まで行なえるようにする。【選択図】図１
2012094095.tif 000002
【特許請求の範囲】
【請求項１】
個人が該個人の意思を発信する意思伝達手段として個人の有する識別子を識別子読み取り手段に読み取らせる装置において少なくとも個人の有する識別子を識別子読み取り手段を含み１以上の識別子読み取り手段によって読み取った情報を通信手段により該情報を送信することが可能な識別子読み取り装置。
【請求項２】
前記識別子はＩＣカードであり読み取り手段は近接無線の非接触あるいは電極接触であることを特徴とする特許請求範囲第１項記載の識別子読み取り装置。
【請求項３】
前記識別子はバーコードあるいは２次元コードであり前記読み取り手段は光学的読み取り手段であることを特徴とする特許請求範囲第１項記載の識別子読み取り装置
【請求項４】
前記情報を前記通信手段により送信可能な識別子読み取り装置は前記装置を特定するユニークな装置ＩＤを有しており該装置ＩＤも同時に送信可能なことを特徴とする特許請求範囲第１項乃至第３項記載の識別子読み取り装置
【請求項５】
前記識別子読取装置は読み取った情報を処理する処理手段を有することを特徴とする特許請求範囲第１項乃至第４項記載の識別子読み取り装置
【請求項６】
前記読み取った情報は前記通信手段を介してサーバーに送信されサーバにより処理されることを特徴とする特許請求範囲第１項乃至第５項記載の識別子読み取り装置
【発明の詳細な説明】
【技術分野】
【０００１】本発明は非接触ＩＣカード（携帯電話に搭載しているものも含む）、２次元コード、バーコードを搭載したカード等個人が所有しているカード等の個人が持っている識別子を読み取る装置に関するものである。
【背景技術】
【０００２】近年ＩＣカードが普及し例えば入退出管理等で使われてきており、現場での処理等は普通に行なわれるようになってきている。例えば先行技術文献特開２００６−２４４２５４の図１においては生徒がＩＣカードを読み取らせることによって出席管理がＰＣで可能となっている。
【先行技術文献】
【０００３】
【特許文献１】特開２００６−２４４２５４
【０００４】
【発明の概要】
【発明が解決しようとする課題】
【０００５】しかしながら個人がＩＣカードをリーダーに読み込ませることによってアクセスしている状況をリアルタイムで現場以外のところで把握したいと要望が高まってきている。例えば複数箇所に配置した広告に個人が興味がある場合に個人がＩＣカードをリーダーに読み込ませることによって個人の興味を収集する場合等があるが、そういった場合現状現場のＰＣ等にいったん集めその収集したデータをサーバー等に集めるといった方法がとられている。従来の方法ではＰＣ等からインターネット等をネット等を介して収集するといった煩雑な処理が必要とされた。
【課題を解決するための手段】
【０００６】前述の課題を解決するために本発明者は鋭意研究の結果以下の手段をとった。すなわち個人が個人の意思を発信する意思伝達手段として個人の有する識別子を識別子読み取り手段に読み取らせる装置において少なくとも個人の有する識別子を識別子読み取り手段を含み１以上の識別子読み取り手段によって読み取った情報を通信手段によりこの情報を送信することが可能な装置とすればよい。この場合の通信手段は公衆無線通信、専用無線通信といった無線通信が好ましい。【０００７】この識別子はＩＣカードであり読み取り手段は近接無線の非接触あるいは電極接触であればよくまたバーコードあるいは２次元コードであってその読み取り手段は光学的読み取り手段であればよい。【０００８】この情報を通信手段により送信可能な識別子読み取り装置はこの装置を特定するユニークな装置ＩＤを有しておりこの装置ＩＤも同時に送信可能とすればよい。こうすることによってどの装置から送信されたか把握することが可能となる。【０００９】この識別子読取装置は読み取った情報を処理する処理手段を設けておき前述の装置ＩＤを読み取った個人の識別子に付加し、また送信可能な情報に加工する処理をおこなえばよい。さらにこういった情報は前述の通信手段を介してサーバーに送信されサーバーにより必要な情報処理を行なえばよい。
【発明の効果】
【００１０】以上説明したように本発明によれば個人がＩＣカードあるいはバーコード２次元コード、を個人の意思を発信する意思伝達手段として読み取り装置に読み取らせる時にローカルで読み取るだけではなく通信によって読み取った情報を送信することにより個人の意思の情報の情報収集が容易となる。送信した情報をサーバーで必要な処理をすることによってリアルタイムで情報を処理することが可能となる。例えば個人が広告情報に興味を示した場合にその広告に該当する読取装置にアクセス（読み取らせた）した場合興味がリアルタイムで収集可能となりさらに個人の識別子が登録されていれば該当の個人に広告情報のさらに詳しい情報を送ることが可能となる。【００１１】従来の方法であれば例えばサーバーで処理が必要な場合ローカルで収集した情報を煩雑な処理を経てサーバーに送る必要が出てくるが本発明によれば識別子読み取り手段と通信手段が１つの装置であるため、簡便に必要な場所に収集した情報を送信することが可能となる。また装置ＩＤも同時に送信すればどの装置からの情報かも把握でき情報処理に有用である。
【発明を実施するための最良の形態】
【００１２】以下に本発明を実施するための最良の形態について図に基づいて詳細に説明していく。【００１３】本発明の概要ブロック図を図１に示した。１０１は識別子読取装置であり、接触タイプＩＣカード、近接無線で非接触で読み取るＩＣカード（近接無線内臓携帯電話も含む）バーコードあるいは２次元コードを読み取る１０２の識別子読み取り部、１０３の情報を処理し送信情報に加工する処理部１０３公衆無線通信で送信する公衆無線送信部１０４から構成されている。【００１４】個人が持っていて意思を表明するため個人の識別子を読み取らせる被読み取り識別子は前述したように電極を接触させる接触タイプのＩＣカード、ＦｅｌｉＣａ（登録商標）で代表される近接無線を使い読み取るＩＣカード、バーコードあるいはＱＲコードに代表される２次元コードを光学的に読み取る方法の中から適切なものを選べばよい。ここでは識別子読み取り部は１としたがこれに限られるものではなく、個人が持っていて意思を表明に対応する目的が例えば特定の広告であるということを示す識別子を広告に設けておきこの識別子を読み取り個人の意志を表す識別子と同時に特定の広告を表す識別子を公衆無線回線で送信すればよい。ここでは通信手段として公衆無線回線を使用したがこれに限られるものではない。目的に応じて最適な通信手段を使用すればよい。【００１５】図２は個人の持っている識別子を読み取り送信するフローを示した。Ｓ１において個人の識別子を読み取りＳ２において読み取った情報を処理する。Ｓ３においては必要に応じて装置のＩＤを読み取った情報に付加する。こうすることによってどの装置からの情報が送信情報の中に付加される。【００１６】次にＳ４において送信情報に加工し、Ｓ５において情報を公衆無線通信を通じて送信すればよい。この情報はＳ６で示すようにサーバーで受信し、Ｓ７で必要な情報処理を行なえばよい。例えば予め個人の識別子及び情報がサーバーに登録されおり個人の識別子の読み取り装置が広告の興味を収集するものであればどこの装置でどういった人が該当広告に興味を持っているかをリアルタイムで把握可能となる。また入退出管理システムであれば現場にいなくてもサーバーにより入退出の様子が把握することがリアルタイムで可能となる。
【図面の簡単な説明】
【００１７】
【図１】本発明の概要ブロック図
【図２】本発明のフロー
【図１】
2012094095.tif 000003
【図２】
2012094095.tif 000004